(57)【要約】【課題】  上映された映画が、製作者及び配給者の意図通りに上映されたか否かということを自動的に確認することができるようにすることを目的とする。【解決手段】  映画上映監視システムは、製作者端末２０１と、配給者端末２０２と、監視システム２１５と、上映システム２０８と、を備えている。監視システム２１５は、比較部２１２と、撮影収音部２１４とを備えている。カメラ３０３で撮影された映像及び収音部３０４に出力された音声は、符号化され、監視システム２１５の比較部２１２に送信される。比較部２１２では、あらかじめ蓄積された映像及び音声を表す情報と、送信された映像及び音声を表す情報とを解析し、その解析の結果を製作者端末２０１及び配給者端末２０２に送信する。【選択図】  図１
2006115391.tif 000002
【特許請求の範囲】
【請求項１】
映画を製作する製作者の製作者端末と、前記製作者が製作した映画を配給する配給者の配給者端末と、前記配給者端末から配給された映画を上映する上映システムと、前記上映システムごとに備えられる監視システムとがネットワークを介して接続される映画上映監視システムの上映監視方法において、
前記監視システムの撮影収音部は、前記上映した映画の撮影及び収音をして前記監視システムの解析部に送信し、
前記監視システムの解析部は、前記送信された映画の映像及び音声を表す情報と、あらかじめ蓄積された映画の映像及び音声を表す情報とが一致するか否かを解析し、
前記監視システムの解析部は、前記解析の結果を、前記製作者端末及び前記配給者端末に送信することを特徴とする映画上映監視システムの上映監視方法。
【請求項２】
前記監視システムの解析部は、前記送信された映画の映像及び音声を表す情報と、前記蓄積された映画の映像及び音声を表す情報とを同期させてから、前記映画の映像及び音声を表す情報と前記蓄積された映画の映像及び音声を表す情報とが一致するか否かを解析することを特徴とする請求項１記載の映画上映監視システムの上映監視方法。
【請求項３】
前記解析の結果は、上映された映画の状況を示す上映確証報告であることを特徴とする請求項１記載の映画上映監視システムの上映監視方法。
【請求項４】
前記上映確証報告における上映実績開始時刻は、変数である時刻Ｔを予定開始時刻で初期化した後、時刻Ｔにおける判断結果がＴＲＵＥであるか否かを確認し、ＴＲＵＥであれば、上映実績開始時刻ＴＳにＴを代入することで得られることを特徴とする請求項１記載の映画上映監視システムの上映監視方法。
【請求項５】
前記上映確証報告における上映実績終了時刻は、時刻Ｔにおける判断結果がＦＡＬＳＥであるか否かを確認し、ＦＡＬＳＥであれば、上映実績終了時刻ＴＥにＴを代入することで得られることを特徴とする請求項４記載の映画上映監視システムの上映監視方法。
【請求項６】
映画を製作する製作者の製作者端末と、前記製作者が製作した映画を配給する配給者の配給者端末と、前記配給者端末から配給された映画を上映する上映システムと、前記上映システムごとに備えられる監視システムとがネットワークを介して接続される映画上映監視システムの上映監視方法において、
前記上映システムの映画データ配送装置は、上映する映画の映像及び音声を表す情報を、前記上映システムの映写装置及び前記監視システムの撮影収音部に送信し、
前記監視システムの撮影収音部は、前記映画データ配送装置から送信された映像及び音声を表す情報を、前記監視システムの解析部に送信し、
前記監視システムの解析部は、前記送信された映画の映像及び音声を表す情報が、あらかじめ蓄積された映画の映像及び音声を表す情報と一致するか否かを解析し、
前記監視システムの解析部は、前記解析の結果を、前記製作者端末及び前記配給者端末に送信することを特徴とする映画上映監視システムの上映監視方法。
【請求項７】
前記解析の結果は、上映確証報告であることを特徴とする請求項６記載の映画上映監視システムの上映監視方法。
【請求項８】
前記監視システムの解析部は、前記送信された映画の映像及び音声を表す情報と、前記蓄積された映画の映像及び音声を表す情報とを同期させてから、前記映画の映像及び音声を表す情報と前記蓄積された映画の映像及び音声を表す情報とが一致するか否かを解析することを特徴とする請求項６記載の映画上映監視システムの上映監視方法。
【請求項９】
前記上映確証報告における上映実績開始時刻は、変数である時刻Ｔを予定開始時刻で初期化した後、時刻Ｔにおける判断結果がＴＲＵＥであるか否かを確認し、ＴＲＵＥであれば、上映実績開始時刻ＴＳにＴを代入することで得られることを特徴とする請求項６記載の映画上映監視システムの上映監視方法。
【請求項１０】
前記上映確証報告における上映実績終了時刻は、時刻Ｔにおける判断結果がＦＡＬＳＥであるか否かを確認し、ＦＡＬＳＥであれば、上映実績終了時刻ＴＥにＴを代入することで得られることを特徴とする請求項９記載の映画上映監視システムの上映監視方法。
【請求項１１】
映画を製作する製作者の製作者端末と、前記製作者が製作した映画を配給する配給者の配給者端末と、前記配給者端末が配給した映画を上映する上映システムと、前記上映システムごとに備えられる監視システムとを備える映画上映監視システムにおいて、
前記監視システムは、前記上映した映画を撮影及び収音する撮影収音部と、
前記撮影収音部が撮影及び収音した映像及び音声を表す情報を、あらかじめ蓄積された映画の映像及び音声を表す情報と一致するか否かを解析するとともに、前記解析の結果を前記製作者端末及び前記配給者端末に送信する解析部と、を備えることを特徴とする映画上映監視システム。
【請求項１２】
前記解析の結果は、上映確証報告であることを特徴とする請求項１１記載の映画上映監視システム。
【請求項１３】
前記監視システムの解析部は、前記送信された映画の映像及び音声を表す情報と、前記蓄積された映画の映像及び音声を表す情報とを同期させてから、前記映画の映像及び音声を表す情報と前記蓄積された映画の映像及び音声を表す情報とが一致するか否かを解析することを特徴とする請求項１１記載の映画上映監視システム。
【請求項１４】
前記解析の結果は、上映された映画の状況を示す上映確証報告であることを特徴とする請求項１１記載の映画上映監視システム。
【請求項１５】
前記上映確証報告における上映実績開始時刻は、変数である時刻Ｔを予定開始時刻で初期化した後、時刻Ｔにおける判断結果がＴＲＵＥであるか否かを確認し、ＴＲＵＥであれば、上映実績開始時刻ＴＳにＴを代入することで得られることを特徴とする請求項１１記載の映画上映監視システム。
【請求項１６】
前記上映確証報告における上映実績終了時刻は、時刻Ｔにおける判断結果がＦＡＬＳＥであるか否かを確認し、ＦＡＬＳＥであれば、上映実績終了時刻ＴＥにＴを代入することで得られることを特徴とする請求項１５記載の映画上映監視システム。
【請求項１７】
上映する映画の映像及び音声を表す情報を、前記上映システムの映写装置及び前記監視システムの撮影収音部に送信する映画データ配送装置を、前記上映システムが備えることを特徴とする請求項１１記載の映画上映監視システム。
【請求項１８】
映画を製作する製作者の製作者端末と、前記製作者が製作した映画を配給する配給者の配給者端末と、前記配給者端末が配給した映画を上映する上映システムと、前記上映システムごとに備えられる監視システムとを備える映画上映監視システムの監視システムにおいて、
前記監視システムは、前記上映した映画を撮影及び収音する撮影収音部と、
前記送信された映画の映像及び音声を表す情報と、あらかじめ蓄積された映画の映像及び音声を表す情報とが一致するか否かを解析するとともに、前記解析の結果を、前記製作者端末及び前記配給者端末に送信する解析部と、を備えることを特徴とする映画上映監視システムの監視システム。
【請求項１９】
前記解析の結果は、上映確証報告であることを特徴とする請求項１８記載の映画上映監視システムの監視システム。
【請求項２０】
前記監視システムの解析部は、前記送信された映画の映像及び音声を表す情報と、前記蓄積された映画の映像及び音声を表す情報とを同期させてから、前記映画の映像及び音声を表す情報と前記蓄積された映画の映像及び音声を表す情報とが一致するか否かを解析することを特徴とする請求項１８記載の映画上映監視システムの監視システム。
【請求項２１】
前記解析の結果は、上映された映画の状況を示す上映確証報告であることを特徴とする請求項１８記載の映画上映監視システムの監視システム。
【請求項２２】
前記上映確証報告における上映実績開始時刻は、変数である時刻Ｔを予定開始時刻で初期化した後、時刻Ｔにおける判断結果がＴＲＵＥであるか否かを確認し、ＴＲＵＥであれば、上映実績開始時刻ＴＳにＴを代入することで得られることを特徴とする請求項１８記載の映画上映監視システムの監視システム。
【請求項２３】
前記上映確証報告における上映実績終了時刻は、時刻Ｔにおける判断結果がＦＡＬＳＥであるか否かを確認し、ＦＡＬＳＥであれば、上映実績終了時刻ＴＥにＴを代入することで得られることを特徴とする請求項２２記載の映画上映監視システムの監視システム。
【請求項２４】
映画を製作する製作者の製作者端末と、前記製作者が製作した映画を配給する配給者の配給者端末と、前記配給者端末が配給した映画を上映する上映システムと、前記上映システムごとに備えられる監視システムとを備える映画上映監視システムの上映システムにおいて、
前記上映システムは、上映する映画の映像及び音声を表す情報を、前記上映システムの映写装置及び前記監視システムの撮影収音部に送信する映画データ配送装置を備えることを特徴とする映画上映監視システムの上映システム。
【発明の詳細な説明】
【技術分野】
【０００１】
本発明は、映画上映監視システム、監視システム、上映システム及び映画上映監視方法に関し、特に、上映された映画が製作者及び配給者の意図通りに上映されたか否かということを自動的に確認することができる映画上映監視システム、監視システム、上映システム及び映画上映監視方法に関する。
【背景技術】
【０００２】
従来、映画館に配給された映画及び広告が正しく上映されたかどうかの確認は上映された映画館の手に委ねられていた。
【０００３】
特許文献１には、ＣＭ（コマーシャル・メッセージ）の音声データを既知のＣＭに対して蓄積した音声データと比較して照合を行なうＣＭ自動確認装置が記載されている。
【０００４】
特許文献２には、センター設備と、外部設備とを備える映像配信サービスシステムにおいて、外部設備が、映像コンテンツを蓄積、検索・管理する手段と、センター設備に上映状況を送信する手段を有し、センター設備が、外部設備からの上映状況を受信し、上映状況を監視する手段を有する技術が開示されている。
【特許文献１】特開平０３−２８９８２９号公報
【特許文献２】特開２００２−３０４４９０号公報
【発明の開示】
【発明が解決しようとする課題】
【０００５】
しかしながら、上記の従来技術では、正しく上映されたことを配給者が確認する方法がないので、配給された映画及び映画館広告が、内容の改ざん、掛け間違い、機器故障、故意のスケジュール変更又は予定外上映により、映画制作者又は広告主、配給者及び上映者の間で合意した通りに上映されないことがあった。
【０００６】
正しく上映されないということは、配給者の信頼を損ない、さらには配給者自身の媒体価値を低下させる。
【０００７】
そこで、本発明は、上映された映画が、製作者及び配給者の意図通りに上映されたか否かということを自動的に確認することができるようにすることを目的とする。
【課題を解決するための手段】
【０００８】
本発明は、上記課題を解決するための手段として、映画を製作する製作者の製作者端末と、前記製作者が製作した映画を配給する配給者の配給者端末と、前記配給者端末から配給された映画を上映する上映システムと、前記上映システムごとに備えられる監視システムとがネットワークを介して接続される映画上映監視システムの上映監視方法において、前記監視システムの撮影収音部は、前記上映した映画の撮影及び収音をして前記監視システムの解析部に送信し、前記監視システムの解析部は、前記送信された映画の映像及び音声を表す情報と、あらかじめ蓄積された映画の映像及び音声を表す情報とが一致するか否かを解析し、前記監視システムの解析部は、前記解析の結果を、前記製作者端末及び前記配給者端末に送信することを特徴とする。
【０００９】
また、本発明は、前記監視システムの解析部は、前記送信された映画の映像及び音声を表す情報と、前記蓄積された映画の映像及び音声を表す情報とを同期させてから、前記映画の映像及び音声を表す情報と前記蓄積された映画の映像及び音声を表す情報とが一致するか否かを解析することを特徴とする。
【００１０】
また、本発明は、前記解析の結果は、上映された映画の状況を示す上映確証報告であることを特徴とする。
【００１１】
また、本発明は、前記上映確証報告における上映実績開始時刻は、変数である時刻Ｔを予定開始時刻で初期化した後、時刻Ｔにおける判断結果がＴＲＵＥであるか否かを確認し、ＴＲＵＥであれば、上映実績開始時刻ＴＳにＴを代入することで得られることを特徴とする。
【００１２】
また、本発明は、前記上映確証報告における上映実績終了時刻は、時刻Ｔにおける判断結果がＦＡＬＳＥであるか否かを確認し、ＦＡＬＳＥであれば、上映実績終了時刻ＴＥにＴを代入することで得られることを特徴とする。
【００１３】
また、本発明は、映画を製作する製作者の製作者端末と、前記製作者が製作した映画を配給する配給者の配給者端末と、前記配給者端末から配給された映画を上映する上映システムと、前記上映システムごとに備えられる監視システムとがネットワークを介して接続される映画上映監視システムの上映監視方法において、前記上映システムの映画データ配送装置は、上映する映画の映像及び音声を表す情報を、前記上映システムの映写装置及び前記監視システムの撮影収音部に送信し、前記監視システムの撮影収音部は、前記映画データ配送装置から送信された映像及び音声を表す情報を、前記監視システムの解析部に送信し、前記監視システムの解析部は、前記送信された映画の映像及び音声を表す情報が、あらかじめ蓄積された映画の映像及び音声を表す情報と一致するか否かを解析し、前記監視システムの解析部は、前記解析の結果を、前記製作者端末及び前記配給者端末に送信することを特徴とする。
【００１４】
また、本発明は、映画を製作する製作者の製作者端末と、前記製作者が製作した映画を配給する配給者の配給者端末と、前記配給者端末が配給した映画を上映する上映システムと、前記上映システムごとに備えられる監視システムとを備える映画上映監視システムにおいて、前記監視システムは、前記上映した映画を撮影及び収音する撮影収音部と、前記撮影収音部が撮影及び収音した映像及び音声を表す情報を、あらかじめ蓄積された映画の映像及び音声を表す情報と一致するか否かを解析するとともに、前記解析の結果を前記製作者端末及び前記配給者端末に送信する解析部と、を備えることを特徴とする。
【００１５】
また、本発明は、映画を製作する製作者の製作者端末と、前記製作者が製作した映画を配給する配給者の配給者端末と、前記配給者端末が配給した映画を上映する上映システムと、前記上映システムごとに備えられる監視システムとを備える映画上映監視システムの監視システムにおいて、前記監視システムは、前記上映した映画を撮影及び収音する撮影収音部と、前記送信された映画の映像及び音声を表す情報と、あらかじめ蓄積された映画の映像及び音声を表す情報とが一致するか否かを解析するとともに、前記解析の結果を、前記製作者端末及び前記配給者端末に送信する解析部と、を備えることを特徴とする。
【００１６】
また、本発明は、映画を製作する製作者の製作者端末と、前記製作者が製作した映画を配給する配給者の配給者端末と、前記配給者端末が配給した映画を上映する上映システムと、前記上映システムごとに備えられる監視システムとを備える映画上映監視システムの上映システムにおいて、前記上映システムは、上映する映画の映像及び音声を表す情報を、前記上映システムの映写装置及び前記監視システムの撮影収音部に送信する映画データ配送装置を備えることを特徴とする。
【発明の効果】
【００１７】
本発明によれば、映画館ごとに備えられる監視システムが備える撮影収音部が、上映した映画を撮影及び収音して、監視システムの解析部が撮影及び収音した映画を解析し、この解析の結果を製作者及び配給者の端末に送信するので、上映された映画が、製作者及び配給者の意図通りに上映されたか否かということを自動的に確認することができるようになった。
【００１８】
また、本発明によれば、さらに上映システムが映画データ配送装置を備えるので、上映システムに送信される映像及び音声を表す情報と同じ映像及び音声を表す情報を、再生装置で監視システムの解析部に送信することになり、監視システムの解析部にはより正確な映像及び音声を表す情報が送信されることになるので、検査精度がより向上する。
【発明を実施するための最良の形態】
【００１９】
以下、添付図面を参照して本発明を実施するための最良の実施の形態を説明する。
【００２０】
（第１の実施の形態）
［構成の説明］
図１は、本発明の第１の実施の形態による映画上映監視システムの全体構成を示すブロック図である。
【００２１】
図１に示すように、本実施の形態による映画上映監視システムは、製作者端末２０１と、配給者端末２０２と、監視システム２１５と、上映システム２０８と、を備えている。
【００２２】
図２は、本実施の形態による映画上映監視システムの監視システム２１５の構成を示すブロック図である。
【００２３】
図２に示すように、監視システム２１５は、解析部２１２と、撮影収音部２１４とを備えている。
【００２４】
撮影収音部２１４は、上映システム２０８で上映された映画を撮影及び収音し、解析部２１２に送信する。
【００２５】
解析部２１２は、撮影収音部２１４から送信された映画の映像及び音声を表す情報を、あらかじめ蓄積された映画の映像及び音声を表す情報と一致するか否かを解析する。
【００２６】
解析部２１２は、さらに、上記の解析の結果を、製作者端末２０１及び配給者端末２０２に送信する。
【００２７】
図３は、本実施の形態による映画上映監視システムの上映システム２０８及び監視システム２１５の撮影収音部２１４の構成を示すブロック図である。
【００２８】
図３に示すように、本実施の形態による上映システム２０８は、映写装置３０２と、スクリーン３０１と、を備えている。
【００２９】
また、本実施の形態による監視システム２１５の撮影収音部２１４は、カメラ３０３と、収音部３０４と、映像符号化装置３０５と、音声符号化装置３０６と、映写装置動作検出器３０７と、伝送装置３０８とを備えている。
【００３０】
カメラ３０３で撮影された映像及び収音部３０４で収音された音声は、観客が見ているものと同じものである。
【００３１】
カメラ３０３によって撮影されたスクリーン３０１に映写された映像は、映像符号化装置３０５に送信され、映像符号化装置３０５にて符号化される。
【００３２】
収音部３０４に出力された音声は、音声符号化装置３０６に送信され、音声符号化装置３０６にて符号化される。
【００３３】
符号化された映像及び符号化された音声の内容は、観客が見ているものと同一であり、伝送装置３０８を介して伝送路３０９に出力される。
【００３４】
映写装置３０２の始動、停止及び動作状態は、映写装置動作検出器３０７により検出され、始動、停止及び動作状態を示す情報を生成して、伝送装置３０８を介して伝送路３０９に出力される。
【００３５】
図４は、本実施の形態による映画上映監視システムの監視システム２１５の解析部２１２の構成を示すブロック図である。
【００３６】
図４に示すように、本実施の形態による監視システム２１５の解析部２１２は、伝送装置５０２と、比較器５０３と、蓄積装置５０５と、上映確証生成部５０７と備えている。
【００３７】
蓄積装置５０５には、上映される映画及び広告の映像及び音声を表す情報があらかじめが格納されており、蓄積装置５０５は比較器５０３に接続されている。
【００３８】
監視システム２１５の撮影収音部２１４から送出された映像及び音声を表す情報は、伝送路３０９より伝送装置５０２を介して比較器５０３に入力される。
【００３９】
比較器５０３は、伝送装置５０２を介して入力された映像及び音声を表す情報と、蓄積装置５０５に蓄積された映像及び音声を表す情報とが一致するか否かを解析し、解析の結果を上映確証生成部５０７に送る。
【００４０】
映像を比較する方法としては、映像内容のパターンをマッチングさせて比較する方法や、映像に含まれる物体を比較する方法や、パワースペクトラムを比較する方法や、フレームの平均レベルを比較する方法や、フレームの平均レベルの変化の仕方を比較する方法や、フレームにある色（色相、明度、飽和度又はこれらの組み合わせ）の分布を比較する方法などがある。
【００４１】
音声を比較する方法としては、音声内容のパターンをマッチングさせて比較する方法や、音質を比較する方法や、パワースペクトラムを比較する方法や、強度を比較する方法や、強度の変化の仕方を比較する方法などがある。
【００４２】
また、上映確証生成部５０７は、比較器５０３から送られた解析の結果と、映写装置動作検出器３０７から送られた始動、停止及び動作状態とに基づいて、図７、図８及び図９に示すような上映確認報告を生成する。
【００４３】
図５は、監視システム２１５の解析部２１２の蓄積装置５０５に蓄積される解析用のデータを示す図である。
【００４４】
図５に示すように、解析用のデータは、タイムコード７０１と、比較用映像コード７０２と、比較用音声コード７０３と、検査コード７０４とで構成されている。
【００４５】
タイムコード７０１は、比較用映像コード７０２及び比較用音声コード７０３の映画開始からの経過時刻を示す。
【００４６】
比較用映像コード７０２は、圧縮又は非圧縮の映像情報であり、タイムコード７０１が示す時刻での映像を表す。
【００４７】
比較用音声コード７０３は、圧縮又は非圧縮の音声情報であり、タイムコード７０１が示す時刻での音声を表す。
【００４８】
検査コード７０４は、タイムコード７０１で示されるデータブロックのデータエラー検出用のデータである。
【００４９】
図６は、監視システム２１５の撮影収音部２１４から出力される検査用のデータを示す図である。
【００５０】
図６に示すように、検査用のデータは、取得時刻コード８０１と、実況映像コード８０２と、実況音声コード８０３と、検査コード８０４とで構成されている。
【００５１】
取得時刻コード８０１は、撮影収音部２１４が映像及び音声を表す情報を取得した時刻を示す。
【００５２】
実況映像コード８０２は、圧縮又は非圧縮の映像情報であり、取得時刻コード８０１が示す時刻に撮影収音部２１４が取得した映像を表す。
【００５３】
実況音声コード８０３は、圧縮又は非圧縮の音声情報であり、取得時刻コード８０１が示す時刻に撮影収音部２１４が取得した音声を表す。
【００５４】
検査コード８０４は、取得時刻コード８０１で示されるデータブロックのデータエラー検出用のデータである。
【００５５】
図７、８及び９は、本実施の形態における上映確証生成部５０７が出力する上映確認報告の例を示す図である。
【００５６】
図７は、予定時間内に正常に上映が行なわれたことを示す例である。
【００５７】
図８は、予定時間内に正常に上映されたことができなかったことを示す例である。
【００５８】
原因としては、映写装置３０２が起動しなかったことや、監視システム２１５の撮影収音部２１４の設置不良や、違う映画が上映されたこと等があげられる。
【００５９】
図９は、上映が中断されたことを示す例である。
【００６０】
予定されていた上映時間と実際の上映時間とを比較して、実際の上映時間が短いことから、中断されたことがわかる。
【００６１】
［動作の説明］
図１０は、本実施の形態において上映された映像及び音声を表す情報が蓄積された映像及び音声を表す情報と一致するか否かを判断する際の動作を示すフローチャートである。
【００６２】
図１０に示すように、映写装置３０２の動作状態を示す情報を取得する（ステップＳ１）。
【００６３】
映写装置３０２は動作しているか否かを判断し（ステップＳ２）、映写装置３０２が動作していれば（ステップＳ２／Ｙｅｓ）、音声と映像の比較箇所が同期しているか否かを判断する（ステップＳ３）。
【００６４】
音声と映像の比較箇所が同期していれば（ステップＳ３／Ｙｅｓ）、蓄積装置５０５から蓄積情報を取得するとともに、上映されている映画及び広告の映像及び音声を表す情報を取得し（ステップＳ４）、蓄積装置５０５から蓄積情報と映像及び音声を表す情報を比較する（ステップＳ５）。
【００６５】
映像及び音声を表す情報が一致していれば（ステップＳ５／Ｙｅｓ）、映画及び広告が正常に映像されている旨のログを上映確証生成部５０７に送り（ステップＳ６）、映写装置３０２の動作状態を示す情報を取得する段階に戻る（ステップＳ２）。
【００６６】
上記の動作は映写装置３０２が停止するまで続き、映写装置３０２が停止したら処理は終了する。
【００６７】
また、音声と映像の比較箇所が同期していなければ（ステップＳ３／Ｎｏ）、同期させる動作に入る（ステップＳ７）。
【００６８】
一定時間内に同期が確立すれば（ステップＳ８／Ｙｅｓ）、映像及び音声を表す情報を取得する動作に移る。
【００６９】
同期は、タイムコード７０１にもとづいて行なわれる。
【００７０】
一定時間内に同期が確立しなければ（ステップＳ８／Ｎｏ）、異常である旨の情報を上映確証生成部５０７に送り（ステップＳ９）、映写装置３０２の動作状態を示す情報を取得する段階に戻る（ステップＳ２）。
【００７１】
また、映像及び音声を表す情報が一致していなければ（ステップＳ５／Ｎｏ）、異常カウントを１足す（ステップＳ１０）。
【００７２】
異常カウントが閾値以下か否かを判断し（ステップＳ１１）、閾値以下ならば（ステップＳ１１／Ｙｅｓ）、映写装置３０２の動作状態を示す情報を取得する段階に戻る（ステップＳ２）。
【００７３】
異常カウントが閾値以下でなければ（ステップＳ１１／Ｎｏ）、異常である旨のログを上映確証生成部５０７に送り（ステップＳ９）、映写装置３０２の動作状態を示す情報を取得する段階に戻る（ステップＳ２）。
【００７４】
図１１は、本実施の形態で、正常ログ又は異常ログを基に上映確証を生成する際の動作を示すフローチャートである。
【００７５】
図１１に示すように、未処理ログがあるか否かを判断する（ステップＳ１０１）。
【００７６】
未処理ログがある場合は（ステップＳ１０１／Ｙｅｓ）、未処理のログを読み込む（ステップＳ１０２）。
【００７７】
未処理のログを読み込んだら（ステップＳ１０３）、上映動作があったことを検出する（ステップＳ１０４）。
【００７８】
上映動作があった映画が上映予定にあるか否かを検出し（ステップＳ１０４）、上映予定にないものが検出されていた場合（ステップＳ１０４／Ｎｏ）、上映予定外のものが上映された旨の上映確証を生成する（ステップＳ１０５）。
【００７９】
上映開始時刻と上映終了時刻を予定の開始時刻及び終了時刻と比較し、これらの誤差がある否かを検出する（ステップＳ１０６）。
【００８０】
検出した結果をもとに全て上映したか否かを判断し（ステップＳ１０７）、全て上映していなければ（ステップＳ１０７／Ｎｏ）、上映中断の上映確証を生成する（ステップＳ１０８）。
【００８１】
全て上映していれば（ステップＳ１０７／Ｙｅｓ）、上映時刻のずれが許容範囲内であるか否かを検出する（ステップＳ１０９）。
【００８２】
上映時刻のずれが許容範囲内でなければ（ステップＳ１０９／Ｎｏ）、上映時刻が変更された旨の上映確証を生成する（ステップＳ１１０）。
【００８３】
上映時刻ずれが許容範囲内であれば（ステップＳ１０９／Ｙｅｓ）、正常に上映された旨の上映確証を生成する（ステップＳ１１１）。
【００８４】
また、未処理のログがない場合（ステップＳ１０１／Ｎｏ）、上映が予定されている全ての映画が上映されたか否かを判断し（ステップＳ１１２）、上映されているならば（ステップＳ１１２／Ｙｅｓ）、終了する。
【００８５】
上映が予定されている全ての映画が上映されてなければ（ステップＳ１１２／Ｎｏ）、上映が予定されていた映画のうち上映されていない映画を抽出し（ステップＳ１１３）、未処理であるか否かを検出する（ステップＳ１１４）。
【００８６】
未処理の映画があれば（ステップＳ１１４／Ｙｅｓ）、そのうちの一つを取り出し（ステップＳ１１５）、その件についての上映されたことが確認できなかった旨の上映確証を生成する（ステップＳ１１６）。
【００８７】
上映確証を生成したら（ステップＳ１１６）、未処理の上映されていない映画はあるか否かを検出し（ステップＳ１１４）、なければ（ステップＳ１１４／Ｎｏ）、終了する。
【００８８】
以下、図１２、図１３及び図１４に基づいて、上映された映画が正常に上映されたか、されていないかを検出する方法について説明する。
【００８９】
図１２は、予定開始時刻から予定終了時刻までの上映状況を示すタイミングチャートであり、図１３は図１２のタイミングチャートに従って時刻ごとに正常／異常を示すタイムテーブルであり、図１４は図１３のタイミングチャートを作成する際の動作を示すフローチャートである。
【００９０】
図１２（ａ）は正常に上映された場合を示し、図１２（ｂ）は中断した場合を示し、図１２（ｃ）は上映されなかった場合を示す。
【００９１】
図１３は、比較器５０３により生成された表を示す。この表は、時刻ごとに上映状態が正常であるか否かを示す。
【００９２】
図１３において、左欄には時刻が記され、右欄には各時刻における正常に上映されたか正常に上映されていないかを示す。ＴＲＵＥは正常を示し、ＦＡＬＳＥは異常を示す。
【００９３】
以下、図１４に従って予定開始時刻から予定終了時刻までで正常に上映されたか否かを検出する方法について説明する。
【００９４】
図１４において、変数である時刻Ｔを予定開始時刻で初期化する（ステップＳ２０１）。時刻Ｔにおける判断結果はＴＲＵＥであるか否かを確認する（ステップＳ２０２）。
【００９５】
判断結果がＴＲＵＥであれば（ステップＳ２０２／Ｙｅｓ）、上映実績開始時刻ＴＳにＴを代入する（ステップＳ２０４）。
【００９６】
判断結果がＴＲＵＥでなければ（ステップＳ２０２／Ｎｏ）、ＴをΔＴだけ増やし（ステップＳ２０３）、判断結果がＴＲＵＥであるか否かを確認する（ステップＳ２０２）。
【００９７】
上映実績開始時刻ＴＳにＴを代入する（ステップＳ２０４）。
【００９８】
時刻Ｔにおける判断結果はＦＡＬＳＥである否かを判断する（ステップＳ２０５）。
【００９９】
時刻Ｔにおける判断結果はＦＡＬＳＥであれば（ステップＳ２０５／Ｙｅｓ）、上映実績終了時刻ＴＥにＴを代入して（ステップＳ２０７）、処理は終了する。
【０１００】
時刻Ｔにおける判断結果がＦＡＬＳＥでなければ（ステップＳ２０５／Ｎｏ）、ＴをΔＴだけ増加して（ステップＳ２０６）、判断結果がＦＡＬＳＥであるか否かを確認する（ステップＳ２０５）。
【０１０１】
判断結果がＦＡＬＳＥになったら（ステップＳ２０５）、上映実績終了時刻ＴにＴＥを代入して（ステップＳ２０７）、処理は終了する。
【０１０２】
（第２の実施の形態）
図１５は、本発明の第２の実施の形態における上映システム２０８と監視システム２１５の撮影収音部２１４の構成を示すブロック図である。
【０１０３】
本実施の形態において、上映システム２０８と監視システム２１５の撮影収音部２１４の構成以外は、第１の実施の形態と同様であるので、同一箇所には同じ符号が付してある。
【０１０４】
図１５に示すように、本実施の形態による上映システム２０８は、映写装置３０２と、スクリーン３０１と、映画データ配送装置４０４と、を備えている。
【０１０５】
また、本実施の形態による監視システム２１５の撮影収音部２１４は、収音部３０４と、映像入力装置４０５と、音声入力装置４０６と、映写装置動作検出器３０７とを備えている。
【０１０６】
映画データ配送装置４０４から出力されたデジタル映像信号は、映写装置４０２と映像入力装置４０５に同時に出力される。
【０１０７】
また、映画データ配送装置４０４から出力されたデジタル音声信号は、収音部３０４と音声入力装置４０６に同時に出力される。
【０１０８】
したがって、映像入力装置４０５及び音声入力装置４０６には、観客が見た映像及び聞いた音声と同じものが入力される。
【０１０９】
映写装置動作検出器３０７は、第１の実施の形態と同様に、映写装置３０２の始動、停止及び動作状態を検出し、これらを示す情報に生成して、伝送装置３０８を介して伝送路３０９に出力される。
【０１１０】
映像入力装置４０５及び音声入力装置４０６では、伝送路３０９で伝送するのに適するように再符号化してもよい。
【０１１１】
また、映像符号化データを比較する方法としては、映像内容のパターンをマッチングさせて比較する方法や、映像に含まれる物体を比較する方法や、パワースペクトラムを比較する方法や、フレームの平均レベルを比較する方法や、フレームの平均レベルの変化の仕方を比較する方法や、フレームにある色（色相、明度、飽和度又はこれらの組み合わせ）の分布を比較する方法などがある。
【０１１２】
また、音声符号化データを比較する方法としては、音声内容のパターンをマッチングさせて比較する方法や、音質を比較する方法や、パワースペクトラムを比較する方法や、音声の強度を比較する方法や、音声の強度の変化の仕方を比較する方法などがある。
【０１１３】
また、比較の方法や、上映実績開始時刻及び上映実績終了時刻を求める方法は、第１の実施の形態と同様である。
【産業上の利用可能性】
【０１１４】
本発明は、映画館において、上映された映画が、製作者及び配給者の意図通りに上映されたか否かということを自動的に確認することができるようにするために利用することができる。
【図面の簡単な説明】
【０１１５】
【図１】本発明の第１の実施の形態による映画上映監視システムの全体構成を示すブロック図である。
【図２】本発明の第１の実施の形態による映画上映監視システムの監視システム２１５の構成を示すブロック図である。
【図３】本発明の第１の実施の形態による映画上映監視システムの上映システム２０８及び監視システム２１５の撮影収音部２１４の構成を示すブロック図である。
【図４】本発明の第１の実施の形態による映画上映監視システムの監視システム２１５の比較部２１２の構成を示すブロック図である。
【図５】監視システム２１５の比較部２１２の蓄積装置５０５に蓄積される解析用のデータを示す図である。
【図６】監視システム２１５の撮影収音部２１４から出力される検査用のデータを示す図である。
【図７】本発明の第１の実施の形態における上映確証生成部５０７が出力する上映確認報告の例を示す図である。
【図８】本発明の第１の実施の形態における上映確証生成部５０７が出力する上映確認報告の例を示す図である。
【図９】本発明の第１の実施の形態における上映確証生成部５０７が出力する上映確認報告の例を示す図である。
【図１０】本発明の第１の実施の形態において上映された映像及び音声を表す情報が蓄積された映像及び音声を表す情報と一致するか否かを判断する際の動作を示すフローチャートである。
【図１１】本発明の第１の実施の形態において、正常ログ又は異常ログを基に上映確証を生成する際の動作を示すフローチャートである。
【図１２】本発明の第１の実施の形態において、予定開始時刻から予定終了時刻までの上映状況を示すタイミングチャートである。
【図１３】図１３のタイミングチャートに従って時刻ごとに正常／異常を示すタイムテーブルである。
【図１４】図１４のタイミングチャートを作成する際の動作を示すフローチャートである。
【図１５】本発明の第２の実施の形態における上映システム２０８と監視システム２１５の撮影収音部２１４の構成を示すブロック図である。
【符号の説明】
【０１１６】
２０１  製作者端末
２０２  配給者端末
２０８  上映システム
２１２  比較部
２１４  撮影収音部
２１５  監視システム
４０４  映画データ配送装置
【図１】
2006115391.tif 000003
【図２】
2006115391.tif 000004
【図３】
2006115391.tif 000005
【図４】
2006115391.tif 000006
【図５】
2006115391.tif 000007
【図６】
2006115391.tif 000008
【図７】
2006115391.tif 000009
【図８】
2006115391.tif 000010
【図９】
2006115391.tif 000011
【図１０】
2006115391.tif 000012
【図１１】
2006115391.tif 000013
【図１２】
2006115391.tif 000014
【図１３】
2006115391.tif 000015
【図１４】
2006115391.tif 000016
【図１５】
2006115391.tif 000017